(57)【特許請求の範囲】
【請求項１】
歯科診療装置に取り付けられ、歯科診療に用いられる液体が充填された容器と、
前記液体の残量に応じて前記容器を傾斜させる傾斜機構と、
前記容器が傾斜したことを検知する検知部と、を有し、
前記傾斜機構が、
基台部と、
回転軸を介して前記基台部の下に支持されると共に、前記容器が吊り下げられる傾斜台部と、
前記基台部と前記傾斜台部との間に取り付けられ、前記傾斜台部を傾斜させる方向に押す弾性部と、を有する、
ことを特徴とする水量検知装置。
【請求項２】
前記容器が、前記回転軸よりも一方側にずれて配置され、
前記弾性部が、前記回転軸よりも他方側にずれて配置され、
前記液体が減ることで、前記弾性部に押された前記傾斜台部が傾斜する、
ことを特徴とする請求項１に記載された水量検知装置。
【請求項３】
前記容器が傾斜した状態で前記傾斜機構に着脱可能である、
ことを特徴とする請求項１または請求項２に記載された水量検知装置。
【請求項４】
請求項１から請求項３のいずれか１項に記載された水量検知装置を有する、
ことを特徴とする歯科診療装置。
【請求項５】
前記容器が内側に収容された、
ことを特徴とする請求項４に記載された歯科診療装置。
【発明の詳細な説明】
【技術分野】
【０００１】
本開示は、残量の状態を検知する水量検知装置、及び、この水量検知装置が取り付けられた歯科診療装置に関するものである。
【背景技術】
【０００２】
従来、歯科医院などの歯科診療施設では、例えば、患部の洗浄や冷却、被施術者がうがいをする際などにおいて、清潔な水を必要とする。例えば、下記特許文献１に記載された歯科用診療装置は、水道水をろ過するために、フィルタを備えたカートリッジを有している。【０００３】
また、歯科用診療装置には、水道水を使わず、容器の水を用いる種類のものがある。この場合、容器が歯科用診療装置の外側に配置されるものと、容器が歯科用診療装置の内側に収容されるものとがある。前者は、容器が露出しているため、歯科医師や歯科衛生士など（以下、歯科医師や歯科衛生士を「施術者」と記す。）にとって、水の残量を把握し易い。一方で、後者は、容器の配置にとらわれることなく、外観のデザインを決定することができるが、水の残量を目視できない構造である。【０００４】
例えば、下記特許文献２に記載された携帯式の歯科治療装置では、施術に用いられる水が予め容器に溜められ、水は、重量センサーなどで残量が検知されて容器に適宜補充される。
【先行技術文献】
【特許文献】
【０００５】
【特許文献１】特開２０１５−２１１９３４号公報
【特許文献２】特開２０１３−２３６７８５号公報
【発明の概要】
【発明が解決しようとする課題】
【０００６】
しかし、重量センサーは、不便な場合がある。例えば、重量センサーは、容量の異なる様々な容器に対して、容器ごとに異なる重量を検知する必要があり、制御が複雑となる場合がある。【０００７】
本開示は、上記の実情に鑑みて提案されたものである。すなわち、簡便な手段で液体の補充の要否を検知することができる水量検知装置及び歯科診療装置の提供を目的とする。
【課題を解決するための手段】
【０００８】
上記目的を達成するために、本開示に係る水量検知装置は、歯科診療装置に取り付けられ、歯科診療に用いられる液体が充填された容器と、前記液体の残量に応じて前記容器を傾斜させる傾斜機構と、前記容器が傾斜したことを検知する検知部と、を有する、ことを特徴とする。【０００９】
本開示に係る水量検知装置は、前記傾斜機構が、基台部と、回転軸を介して前記基台部の下に支持されると共に、前記容器が吊り下げられる傾斜台部と、前記基台部と前記傾斜台部との間に取り付けられ、前記傾斜台部を傾斜させる方向に押す弾性部と、を有する、ことを特徴とする。【００１０】
本開示に係る水量検知装置は、前記容器が、前記回転軸よりも一方側にずれて配置され、前記弾性部が、前記回転軸よりも他方側にずれて配置され、前記液体が減ることで、前記弾性部に押された前記傾斜台部が傾斜する、ことを特徴とする。【００１１】
本開示に係る水量検知装置は、前記液体の残量が、予め定められた所定量以下となったときに、前記検知部と連動する報知部を有する、ことを特徴とする。【００１２】
本開示に係る水量検知装置は、前記報知部が、音、光又は表示によって報知する、ことを特徴とする。【００１３】
本開示に係る水量検知装置は、前記検知部による検知時間が、予め定められた所定時間以上となったときに、前記報知部が作動する、ことを特徴とする。【００１４】
本開示に係る水量検知装置は、前記容器が傾斜した状態で前記傾斜機構に着脱可能である、ことを特徴とする。【００１５】
本開示に係る歯科診療装置は、上記した水量検知装置を有する、ことを特徴とする。【００１６】
本開示に係る歯科診療装置は、前記容器が内側に収容された、ことを特徴とする。
【発明の効果】
【００１７】
本開示に係る水量検知装置及び歯科診療装置は、歯科診療に用いられる液体が充填された容器と、液体の残量に応じて容器を傾斜させる傾斜機構と、容器が傾斜したことを検知する検知部とを有している。すなわち、液体が充填された容器が、液体の減少に応じて傾斜し、この傾斜が検知される。したがって、簡便な手段で液体の補充の要否を検知することができる。
【図面の簡単な説明】
【００１８】
【図１】図１は、本開示の第一実施形態に係る水量検知装置が備えられた歯科診療装置を後方から視した外観斜視図である。
【図２】図２は、本開示の第一実施形態に係る水量検知装置が備えられた歯科診療装置を前方から視した外観斜視図である。
【図３】図３は、本開示の第一実施形態に係る水量検知装置の動作の過程が示され、Ａは水量検知装置が作動する前である作動前面図、Ｂは水量検知装置が作動した状態の作動後前面図である。
【図４】図４は、本開示の第一実施形態に係る水量検知装置が示され、Ａは前方から視した斜視図、Ｂは右方寄りから視した前面図、Ｃは左方寄りから視した後面図である。
【図５】図５は、本開示の第一実施形態に係る水量検知装置が示され、Ａは左方から視した左側面図、Ｂは前方から視した前面図、Ｃは右方から視した右側面図である。
【図６】図６は、本開示の第一実施形態に係る水量検知装置の右側面が示され、Ａは作動前右側面図、Ｂ水量検知装置が作動した状態の作動後右側面図である。
【図７】図７は、本開示の第二実施形態に係る水量検知装置の斜視図である。
【図８】図８は、本開示の第三実施形態に係る水量検知装置であって動作前の状態が示され、Ａは前面図、ＢはＡのＶＩＩＩ（Ｂ）−ＶＩＩＩ（Ｂ）断面図、ＣはＡのＶＩＩＩ（Ｃ）−ＶＩＩＩ（Ｃ）断面図である。
【図９】図９は、本開示の第三実施形態に係る水量検知装置であって動作後の状態が示され、Ａは図８ＡのＶＩＩＩ（Ｂ）−ＶＩＩＩ（Ｂ）に相当する断面図、Ｂは図８ＡのＶＩＩＩ（Ｃ）−ＶＩＩＩ（Ｃ）に相当する断面図である。
【発明を実施するための形態】
【００１９】
本開示に係る水量検知装置は、傾斜機構が、基台部と、回転軸を介して基台部の下に支持されると共に、容器が吊り下げられる傾斜台部と、基台部と傾斜台部との間に取り付けられ、傾斜台部を傾斜させる方向に押す弾性部とを有している。この構成により、液体が減少することに伴って容器が軽くなることで、傾斜台部を押す弾性部に対する抗力が弱くなり、傾斜台部が弾性部によって押される。傾斜台部は、回転軸を中心として傾斜する。検知部は、傾斜台部が傾斜したことを検知する。したがって、簡便な手段で液体の補充の要否を検知することができる。
【００２０】
本開示に係る水量検知装置は、容器が、回転軸よりも一方側にずれて配置され、弾性部が、回転軸よりも他方側にずれて配置され、液体が減ることで、弾性部に押された傾斜台部が傾斜する。この構成により、傾斜台部は、回転軸を支点として、弾性部による弾性力と容器に作用する重力とによって停止している。傾斜台部は、液体で満たされている容器に作用する重力によって、一方側が下方に引っ張られると共に、他方側が弾性部を圧縮する。液体が減少して容器が軽くなることで重力が減少すると、傾斜台部の他方側が押し下げられると共に、傾斜台部の一方側が容器を持ち上げる。すなわち、傾斜台部は、弾性部の弾性力によって、回転軸を支点として傾斜し、検知部は、傾斜台部が傾斜したことを検知する。したがって、簡便な手段で液体の補充の要否を検知し、報知することができる。
【００２１】
本開示に係る水量検知装置は、液体の残量が、予め定められた所定量以下となったときに、検知部と連動する報知部を有している。したがって、液体の補充を施術者に促すことができる。
【００２２】
本開示に係る水量検知装置は、報知部が、音、光又は表示によって報知する。したがって、施術中の施術者に目視させることなく、液体の補充の要否を報知することができる。
【００２３】
本開示に係る水量検知装置は、検知部による検知時間が、予め定められた所定時間以上となったときに、報知部が作動する。したがって、仮に、検知部が、振動やチャタリングによる誤作動を起こした場合であっても、誤報を防ぐことができる。
【００２４】
本開示に係る水量検知装置は、容器が傾斜した状態で傾斜機構に着脱可能である。したがって、施術者は、例えば、容器を下方に向けて引っ張ることで取り外す場合や、下方から上方に向けて取り付ける場合において、地面と干渉することなく容易に着脱することができる。
【００２５】
本開示に係る歯科診療装置は、容器が内側に収容されている。したがって、歯科診療装置の外観を損ねず、また、施術者は、容器を内側から外側に、容易に取り出すことができる。
【００２６】
本開示に係る歯科診療装置は、上記した水量検知装置を有している。したがって、歯科診療装置は、上記した水量検知装置と同じ効果を奏する。
【００２７】
以下は、本開示の第一実施形態に係る水量検知装置、及び、この水量検知装置を有する歯科診療装置の説明である。図１及び図２は、歯科診療装置１の外観が示されている。
【００２８】
図１及び図２に示されているとおり、歯科診療装置１は、患者である被施術者が横たわる歯科用椅子１０と、被施術者が口中を濯ぐ水を供給する吐水部１１と、この吐水部１１の近傍に配置されて被施術者が水を吐き出すためのスピットン２と、被施術者の口元を照らすデンタルライト３と、種々のインスツルメント（図示省略。）が保持されるインスツルメント保持装置４と、このインスツルメント保持装置４と同様にインスツルメントを保持し、デンタルライト３やインスツルメントなどを制御するパネルが備えられたドクターテーブル５とを有している。吐水部１１、スピットン２、デンタルライト３、インスツルメント保持装置４およびドクターテーブル５は、本体装置６に支持されている。この本体装置６は、歯科用椅子１０の隣に設置されている。本体装置６は、蓋部１２を有し、この蓋部１２の内側に、歯科診療の施術に用いられる水が充填された容器１３（図３Ａ及び図３Ｂ参照。）が収容されている。水は、吐水部１１やインスツルメントに供給される。
【００２９】
スピットン２はボウルであり、本体装置６の上に設置されている。デンタルライト３は、本体装置６に取り付けられた第一可動アーム７の先端に接続されている。インスツルメント保持装置４は、本体装置６に取り付けられた第二可動アーム８の先端に接続されている。ドクターテーブル５は、本体装置６に取り付けられた第三可動アーム９の先端に接続されている。各可動アーム７，８，９は、複数の関節を有している。そのため、デンタルライト３、インスツルメント保持装置４およびドクターテーブル５は、各可動アーム７，８，９を介して、自在に移動することができる。なお、インスツルメントは、例えば、タービン、マイクロモーター、エアモーター、スケーラー、シリンジなどである。
【００３０】
次に、水量検知装置を図面に基づいて説明する。図３Ａ及び図３Ｂは、蓋部１２が取り外された本体装置６の内部であって、水量検知装置２０に容器１３が取り付けられた状態が示されている。図３Ａは、容器１３がほぼ垂直な状態が示され、図３Ｂは容器１３が本体装置６の外側に向けて傾斜した状態が示されている。図４Ａ、図４Ｂ、図４Ｃ、図５Ａ、図５Ｂ、図５Ｃは、水量検知装置２０の外観が示されている。なお、以下の説明では、垂直方向を上方及び下方とし、本体装置６の外側に向かう側を前方とし、反対側を後方とし、前後方向に対して水平に直交する方向を左右とする（図４Ａ参照。）。
【００３１】
図３Ａ及び図３Ｂに示されているとおり、水量検知装置２０は、本体装置６の内部における上面に取り付けられ、この水量検知装置２０に取り付けられた容器１３を矢印Ｆの方向に傾斜させることで、水の補充の要否を検知し、報知するものである。すなわち、水の残量が十分である場合、容器１３は垂直であり、水の補充は不要である。一方、水の残量が少ない場合、容器１３が傾斜し、水の補充が促される。なお、水の補充は、使用済の容器１３に水が補充される場合、及び、使用済の容器１３に替えて、水が充填された新たな容器１３に交換される場合を含む。
【００３２】
容器１３は、上下に長手の円筒であり、上部に被取付口部１４を有している。被取付口部１４は、容器１３の本体よりも直径が小さく形成され、水量検知装置２０に取り付けられている。詳説すれば、水量検知装置２０は、連結部１６を有し、この連結部１６に、被取付部１４が接続されている。連結部１６は、傾斜機構２１板状の連結板１７と、この連結板１７の下面に固定された円筒状の連結口部１８とを有している。連結口部１８は、側面に吸水部１９（図４Ｃ参照。）を有し、内側から下方に向けて伸びた管部１５を有している。連結口部１８は、下部に、容器１３の被取付口部１４が挿入され、容器１３は、内側に、管部１５が挿入されている。なお、容器１３の容量や形状は任意である。容量は、例えば、７５０ミリリットル、１リットル、２リットルなどである。
【００３３】
図４Ａ、図４Ｂ、図４Ｃ、図５Ａ、図５Ｂ、図５Ｃに示されているとおり、水量検知装置２０は、上記した連結部１６と、水の残量に応じて容器１３を傾斜させる傾斜機構２１と、容器１３が傾斜したことを検知する傾斜検知部２２と、容器１３が適切な位置に取り付けられたことを検知する配置検知部２３と、傾斜検知部２２と連動する報知部（図示省略。）とを有している。
【００３４】
傾斜機構２１は、本体装置６に固定される基台部２６と、回転軸２９を介して基台部２６の下に支持された傾斜台部３０と、基台部２６と傾斜台部３０との間に取り付けられた弾性部３３とを有している。詳説すれば、基台部２６は、平板状である基台板部２７の左右両端部に、平板状である基台側板部２８が連接され、前後方向及び下方が開放されている。基台側板部２８は、互いに対面している。傾斜台部３０は、平板状である傾斜台板部３１の左右両端部に、平板状である傾斜台側板部３２が連接され、前後方向及び下方が開放されている。傾斜台側板部３２は、互いに対面し、下端部が互いに近づく方向に折れ曲がっている。傾斜台部３０は、基台部２６における基台板部２７と間を空けて、基台側板部２８の内側に配置されている。基台部２６における基台側板部２８と、傾斜台部３０における傾斜台側板部３２とは、対面し、回転軸２９を介して連結されている。傾斜台部３０の内側に、連結部１６の連結板１７が取り付けられている。弾性部３３は、例えばコイルバネであり、側方から視して、回転軸２９よりも他方側である後方にずれて配置されている（図５Ｃ参照。）。なお、弾性部３３の種類は、例えば、板バネ、ゴムなど、圧縮及び伸長に基づく復元力を有するものであれば、任意である。
【００３５】
傾斜検知部２２及び配置検知部２３は、例えば、接点式のマイクロスイッチである。各検知部２２，２３は、傾斜台部３０の後部に固定されている。傾斜検知部２２のアクチュエーター２４は、上側に向けられて基台部２６の基台板部２７と対面し、一方、配置検知部２３のアクチュエーター２５は、下側に向けられて傾斜台部３０の内側に配置されている。なお、各検知部２２，２３の種類は、例えば、ボリュームセンサー、マグネット式センサー、赤外線センサーなど、任意である。
【００３６】
報知部は、各検知部２２，２３からの信号に基づいて、容器１３の状態を、音、光又は表示によって、施術者に報知するものである。音で報知する場合は、例えば、スピーカーや電子ブザーなどであり、光で報知する場合は、例えばＬＥＤなどであり、表示で報知する場合は、例えば、液晶パネルや有機ＥＬパネルなどである。例えば、ＬＥＤは、スピットン２や吐水部１１の近傍に配置され、パネルは、ドクターテーブル５に備えられている。報知部は、傾斜検知部２２と連動する。すなわち、水の残量が、予め定められた所定量以下となり、傾斜機構２１が作動して容器１３が傾斜し、この傾斜を傾斜検知部２２が検知したとき、報知部が作動する。その際、報知部は、傾斜検知部２２による検知時間が、予め定められた所定時間以上となるまで作動しない。ここで、所定量及び所定時間は任意であるが、所定量は、例えば、約２００ミリリットルであり、一方、所定時間は、例えば、約５秒である。
【００３７】
上記のとおり構成された水量検知装置２０に、連結部１６を介して容器１３が取り付けられる。連結板１７の後端部が、配置検知部２３のアクチュエーター２５を押し上げると、配置検知部２３が作動し、容器１３（連結部１６）が適切に配置されたことが検知される（図５Ａ参照。）。この状態において、容器１３は、吊り下げられ、傾斜機構２１の回転軸２９よりも一方側である前方にずれて配置される（図５Ｃ参照。）。
【００３８】
以上のとおり、水量検知装置２０が構成されている。
【００３９】
次に、水量検知装置２０の効果を、動作と共に図面に基づいて説明する。図６Ａは、水量検知装置２０が作動する前の状態が示され、図６Ｂは、水量検知装置２０が作動した後の状態が示されている。
【００４０】
容器１３の水が適量である場合、図６Ａに示されているとおり、傾斜台部３０は、液体で満たされた容器１３に作用する重力によって、前方側が下方に引っ張られると共に、後方側が弾性部３３を圧縮する。傾斜台部３０は、回転軸２９を支点として、圧縮した弾性部３３による復元力と容器１３に作用する重力とによって停止し、ほぼ水平な状態で基台部２６に支持されている。この状態において、傾斜検知部２２のアクチュエーター２４は、基台部２６の基台板部２７に押されている。
【００４１】
傾斜台部３０は、水が減少して容器１３が軽くなることで重力が減少すると、図６Ｂに示されているとおり、弾性部３３の復元力によって、回転軸２９を支点として傾斜する方向に押される。傾斜台部３０は、弾性部３３によって、後方側が押し下げられると共に、前方側が容器１３を持ち上げる。容器１３は、被取付口部１４側を軸として、下部が、前方であって矢印Ｆの方向に張り出す（図３Ｂ参照。）。水が減少するに従って、傾斜台部３０の傾斜の度合いが増し、水の残量が、例えば、約２００ミリリットル以下となった場合、傾斜検知部２２のアクチュエーター２４が開き、傾斜検知部２２は、傾斜台部３０が傾斜したことを検知する。水量検知装置２０は、このような簡便な手段で、水の補充の要否を検知することができる。
【００４２】
傾斜検知部２２からの信号によって、スピーカーや電子ブザーによる音、スピットンや吐水部１１の近傍に配置されたＬＥＤの発光、ドクターテーブル５に備えられたパネルへの表示のいずれか、又は、これらが組み合わあって連動し、水の補充の要否を報知し、水の補充又は容器の交換を施術者に促すことができる。特に、音や光であれば、施術中の施術者に目視させることなく、水の補充の要否を報知することができる。
【００４３】
傾斜検知部２２による検知時間が、例えば、約５秒以上となるまでは、報知部は連動しない。したがって、仮に、傾斜検知部２２が、振動やチャタリングによる誤作動を起こした場合であっても、誤報を防ぐことができる。
【００４４】
容器１３は、傾斜した状態において、連結部１６から取り外される。図３Ｂに示されているとおり、容器１３は、連結部１６の管部１５が挿入されているところ、容器１３が矢印Ｆの方向に張り出すため、施術者は、容易に管部１５から容器１３を斜めに引き抜くことができる。すなわち、容器１３が傾斜することで、水の補充の要否を検知し、報知することができ、かつ、容器１３を容易に取り外し、又は、取り付けることができるようになる。
【００４５】
次に、本開示の第二実施形態に係る水量検知装置を図面に基づいて説明する。図７は、第二実施形態に係る水量検知装置２２０が示されている。なお、以下は、主に第一実施形態に係る水量検知装置２０と異なる構成が説明され、水量検知装置２０と同様の構成は、水量検知装置２０と同一の符号で図示され、適宜説明が省略されている。
【００４６】
水量検知装置２２０と水量検知装置２０との相違点は、図７に示されているとおり、弾性部３３の圧縮量を調節する調節部２３４が備えられている点である。調節部２３４は、一対のネジから構成され、傾斜構造２１の後部に取り付けられている。調節部２３４は、固定ネジ２３５と調節ネジ２３６とから構成され、固定ネジ２３５は、基台板部２７に固定され、調節ネジ２３６は、傾斜台板部３１に回転可能に取り付けられている。両ネジ２３５，２３６の間に、弾性部３３が取り付けられている。調節ネジ２３６は、回転させられると、固定ネジ２３５側に近づき、又は離れる。したがって、調節ネジ２３６が固定ネジ２３５に近づいた場合、弾性部３３が圧縮されて復元力が増加し、また、調節ネジ２３６が固定ネジ２３５から離れた場合、弾性部３３の圧縮の度合いが減少すると共に復元力も減少する。この構成により、例えば、大容量の容器１３が傾斜構造２１に取り付けられた場合、調節ネジ２３６を固定ネジ２３５に近づけることで、容器１３に作用する重力に合わせて、弾性部３３の復元力を増加させることができる。また、容器１３の形状や長さに応じて、回転軸２９から容器１３の重心までの距離が異なるため、モーメント力も異なるところ、モーメント力に合わせて、弾性部３３の復元力を調節することができる。
【００４７】
次に、本開示の第三実施形態に係る水量検知装置を図面に基づいて説明する。図８及び図９は、第三実施形態に係る水量検知装置３２０が示されている。なお、以下は、主に第一実施形態に係る水量検知装置２０と異なる構成が説明され、水量検知装置２０と同様の構成は、水量検知装置２０と同一の符号で図示され、適宜説明が省略されている。
【００４８】
水量検知装置３２０と水量検知装置２０との相違点は、図８及び図９に示されているとおり、スライド機構３３７が備えられている点である。スライド機構３３７は、傾斜台部３０に対して、連結部１６を前後にスライドさせるものである。スライド機構３３７は、連結部１６における連結板１７に形成されたガイド孔３３８と、傾斜台部３０の傾斜台板部３１に取り付けられたガイドネジ３３９とから構成されている。ガイド孔３３８は、連結板１７を上下方向に貫通する孔であり、前後方向に向けて長い長孔である。ガイド孔３３８は、連結板１７の右方寄りに配置されている。ガイドネジ３３９は、傾斜台板部３１を上下に貫通して取り付けられ、右方寄りであって、ガイド孔３３８に対応して配置されている。すなわち、ガイドネジ３３９は、ガイド孔３３８に通されている。したがって、連結部１６は、ガイド孔３３８の範囲内において、前後に移動することができる。容器１３が連結部１６から取り外される際、連結部１６が、傾斜台部３０に対して前方にスライドし、容器１３が容易に取り外される。
【００４９】
なお、本開示の他の実施形態（図示省略。）として、容器１３が傾斜する方向が、左右又は後方である水量検知装置もある。
【００５０】
以上、本開示の実施形態を詳述したが、本開示は上記実施形態に限定されるものではない。そして本開示は、特許請求の範囲に記載された事項を逸脱することがなければ、種々の設計変更を行うことが可能である。
【符号の説明】
【００５１】
１            歯科診療装置
２            スピットン
３            デンタルライト
４            インスツルメント保持装置
５            ドクターテーブル
６            本体装置
７            第一可動アーム
８            第二可動アーム
９            第三可動アーム
１０          歯科用椅子
１１          吐水部
１２          蓋部
１３          容器
１４          被取付口部
１５          管部
１６          連結部
１７          連結板
１８          連結口部
１９          吸水部
２０、２２０、３２０  水量検知装置
２１          傾斜機構
２２          傾斜検知部（検知部）
２３          配置検知部
２４，２５    アクチュエーター
２６          基台部
２７          基台板部
２８          基台側板部
２９          回転軸
３０          傾斜台部
３１          傾斜台板部
３２          傾斜台側板部
３３          弾性部
２３４        調節部
２３５        固定ネジ
２３６        調節ネジ
３３７        スライド機構
３３８        ガイド孔
３３９        ガイドネジ
Ｆ            矢印
【要約】
簡便な手段で液体の補充の要否を検知することができる水量検知装置及び歯科診療装置を提供する。
水量検知装置２０は、本体装置６の内部における上面に取り付けられ、この水量検知装置２０に取り付けられた容器１３を、水の減少に伴って矢印Ｆの方向に傾斜させることで、水の補充の要否を検知する。【図１】
0006656527.tif 000002
【図２】
0006656527.tif 000003
【図３】
0006656527.tif 000004
【図４】
0006656527.tif 000005
【図５】
0006656527.tif 000006
【図６】
0006656527.tif 000007
【図７】
0006656527.tif 000008
【図８】
0006656527.tif 000009
【図９】
0006656527.tif 000010